(57)【要約】【課題】高周波の角度変調信号を復調して得られる目的信号の歪みを軽減するための角度復調装置等を提供することである。【解決手段】局部発振器３Ｉが第１局部発振信号を生成し、移相器３Ｑがこれを９０度移相して第１移相信号を生成する。ミキサ４Ｉ及び４Ｑは、これらと角度変調信号とよりＩチャンネル及びＱチャンネルのベースバンド信号を生成する。局発位相補正部８は、局部発振器７が生成する未補正の第２局部発振信号の値を特定して、特定した値の過去分の複数個の値及び／又は未補正の第２局部発振信号の現在値のうち２個を選択して、これらの値を示す２個の信号を補正済みの第２の局部発振信号及び第２移相信号として生成する。ミキサ６Ｉ及び６Ｑは、これらと各ベースバンド信号とを混合し、加算部９が混合結果を加算して中間周波信号を得て、これがＦＭ検波器１２による復調に用いられる。【選択図】図１
2007235346.tif 000002
【特許請求の範囲】
【請求項１】
第１の局部発振信号、及び、前記第１の局部発振信号と実質的に９０度位相が異なる第１移相信号を出力する第１発振手段と、
外部より角度変調信号を取得し、前記第１発振手段より前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合手段と、
第２の局部発振信号、及び、前記第２の局部発振信号と実質的に９０度位相が異なる第２移相信号を出力する第２発振手段と、
前記第１混合手段より前記第１及び第２ベースバンド信号を取得し、前記第２発振手段より前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合手段と、
前記第２混合手段より前記中間周波信号を取得して復調することにより角度復調信号を生成する復調手段と、を備え、
前記第２発振手段は、
補正前の第２の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの第２の局部発振信号として出力し、他方を第２移相信号として出力する選択手段と、を備える、
ことを特徴とする角度復調装置。
【請求項２】
前記遅延手段は、所定のクロック信号が所定の遷移を示したことに応答して、当該遷移の時点における前記原発振信号の値をラッチし、ラッチした各値を表す複数の信号を各遅延信号として生成するシフトレジスタにより構成される、
ことを特徴とする請求項１に記載の角度復調装置。
【請求項３】
補正前の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの局部発振信号として出力し、他方を移相信号として出力する選択手段と、を備える、
ことを特徴とする位相補正装置。
【請求項４】
前記遅延手段は、所定のクロック信号が所定の遷移を示したことに応答して、当該遷移の時点における前記原発振信号の値をラッチし、ラッチした各値を表す複数の信号を各遅延信号として生成するシフトレジスタにより構成される、
ことを特徴とする請求項３に記載の位相補正装置。
【請求項５】
第１の局部発振信号、及び、前記第１の局部発振信号と実質的に９０度位相が異なる第１移相信号を出力する第１発振ステップと、
外部より角度変調信号を取得し、前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合ステップと、
第２の局部発振信号、及び、前記第２の局部発振信号と実質的に９０度位相が異なる第２移相信号を出力する第２発振ステップと、
前記第１及び第２ベースバンド信号を取得し、前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合ステップと、
前記中間周波信号を取得して復調することにより角度復調信号を生成する復調ステップと、により構成され、
前記第２発振ステップは、
補正前の第２の局部発振信号に相当する原発振信号を生成する原発振ステップと、
前記原発振信号を取得し、当該原発振信号を互いに異なる複数通りの遅延量遅延させたものに相当する複数の遅延信号を生成する遅延ステップと、
原発振信号及び／又は各遅延信号のうちのいずれか２個を選択して、選択された２個の信号の一方を補正済みの第２の局部発振信号として出力し、他方を第２移相信号として出力する選択ステップと、を含む、
ことを特徴とする角度復調方法。
【請求項６】
補正前の局部発振信号に相当する原発振信号を生成する原発振ステップと、
前記原発振信号を取得し、当該原発振信号を互いに異なる複数通りの遅延量遅延させたものに相当する複数の遅延信号を生成する遅延ステップと、
原発振信号及び／又は各遅延信号のうちのいずれか２個を選択して、選択された２個の信号の一方を補正済みの局部発振信号として出力し、他方を移相信号として出力する選択ステップと、により構成される、
ことを特徴とする位相補正方法。
【請求項７】
コンピュータを、
第１の局部発振信号、及び、前記第１の局部発振信号と実質的に９０度位相が異なる第１移相信号を出力する第１発振手段と、
外部より角度変調信号を取得し、前記第１発振手段より前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合手段と、
第２の局部発振信号、及び、前記第２の局部発振信号と実質的に９０度位相が異なる第２移相信号を出力する第２発振手段と、
前記第１混合手段より前記第１及び第２ベースバンド信号を取得し、前記第２発振手段より前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合手段と、
前記第２混合手段より前記中間周波信号を取得して復調することにより角度復調信号を生成する復調手段と、して機能させるためのプログラムであって、
前記第２発振手段は、
補正前の第２の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの第２の局部発振信号として出力し、他方を第２移相信号として出力する選択手段と、を備える、
ことを特徴とするプログラム。
【請求項８】
コンピュータを、
補正前の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの局部発振信号として出力し、他方を移相信号として出力する選択手段と、
して機能させるためのプログラム。
【発明の詳細な説明】
【技術分野】
【０００１】
本発明は、角度復調装置、位相補正装置、角度復調方法、位相補正方法及びプログラムに関し、特に、角度変調波を正確に復調するための角度復調装置、位相補正装置、角度復調方法、位相補正方法及びプログラムに関する。
【背景技術】
【０００２】
ＦＭ（Frequency Modulation）変調信号を復調する手法として、ダイレクトコンバージョンが知られている（例えば、特許文献１参照）。ダイレクトコンバージョンの手法を用いたＦＭ受信機は、例えば図３に示す構成を有する。
【０００３】
図３に示すＦＭ受信機においては、アンテナ１０１により受信されたＦＭ変調信号は分波器１０２により第１のミキサ１０４Ｉ及び１０４Ｑへと供給される。ＦＭ変調信号は、第１の局部発振器１０３Ｉ及び移相器１０３Ｑが作る互いに９０度位相の異なる一対の第１の局部発振信号と各々混合され、一対のベースバンド信号へと変換される。第１の局部発振信号は、受信した信号の搬送波周波数と同一の周波数に設定しておく。
【０００４】
ベースバンド信号はＬＰＦ（Low Pass Filter）１０５Ｉ及び１０５Ｑにより高調波成分をカットされた後、第２のミキサ１０６Ｉ及び１０６Ｑによって、第２の局部発振器１０７Ｉ及び移相器１０７Ｑが作る互いに９０度位相の異なる一対の第２の局部発振信号と各々混合される。混合により得られた信号同士は加算器１０８により互いに加算され、これにより、単一の中間周波信号へと変換される。
【０００５】
中間周波信号は、ＢＰＦ（Band Pass Filter）１０９及びＩＦ（Intermediate Frequency：中間周波数）増幅器１１０を介してＦＭ検波器１１１に供給され、ＦＭ検波器１１１が中間周波信号を検波し、検波により得られたオーディオ信号（目的信号）を出力する。
【０００６】
ダイレクトコンバージョンの手法によれば、ＦＭ変調信号を復調する装置の構成を簡単にできる上、スーパーヘテロダインと異なり影像周波数近傍の信号による妨害のおそれがない、という利点が得られる。
【特許文献１】特開２０００−１１５２６５号公報
【発明の開示】
【発明が解決しようとする課題】
【０００７】
図３に示す上述の構成のＦＭ受信機にあっては、移相器１０３Ｑ及び１０７Ｑによる移相が正確に行われる必要があり、第１の局部発振信号相互間の位相差や、第２の局部発振信号相互間の位相差が正確に９０度となっておらずずれている場合は、このずれが全体として相殺されていない限り、中間周波信号及び目的信号の歪みを生む。しかし、移相を正確に行う移相器の製造は、移相する対象の信号の周波数が高いほど困難である。従って、図３の例でいえば、第１の局部発振信号より第２の局発振信号の方が通常は周波数が高いため、移相器１０３Ｑの動作を正確に行う移相器は、移相器１０７Ｑの動作を正確に行う移相器に比べ、製造が一層困難である。従って、上述の手法では目的信号に歪みが生じやすかった。
【０００８】
この発明は上記実状に鑑みてなされたもので、高周波の角度変調信号を復調して得られる目的信号の歪みを軽減するための角度復調装置、位相補正装置、角度復調方法、位相補正方法及びプログラムを提供することを目的とする。
【課題を解決するための手段】
【０００９】
この目的を達成するため、この発明の第１の観点に係る角度復調装置は、
第１の局部発振信号、及び、前記第１の局部発振信号と実質的に９０度位相が異なる第１移相信号を出力する第１発振手段と、
外部より角度変調信号を取得し、前記第１発振手段より前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合手段と、
第２の局部発振信号、及び、前記第２の局部発振信号と実質的に９０度位相が異なる第２移相信号を出力する第２発振手段と、
前記第１混合手段より前記第１及び第２ベースバンド信号を取得し、前記第２発振手段より前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合手段と、
前記第２混合手段より前記中間周波信号を取得して復調することにより角度復調信号を生成する復調手段と、を備え、
前記第２発振手段は、
補正前の第２の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの第２の局部発振信号として出力し、他方を第２移相信号として出力する選択手段と、を備える、
ことを特徴とする。
【００１０】
このような角度復調装置によれば、補正済みの第２の局部発振信号及び第２移相信号の位相は、原発振信号の現在値及び／又は過去の値のうちの選択の対象とする２個を変更することにより容易に補正される。従ってこのような角度復調装置によれば、目的信号の歪みが軽減されつつ、ダイレクトコンバージョンの手法による復調が行われる。
【００１１】
また、この発明の第２の観点に係る位相補正装置は、
補正前の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの局部発振信号として出力し、他方を移相信号として出力する選択手段と、を備える、
ことを特徴とする。
【００１２】
このような位相補正装置を用いて、ダイレクトコンバージョンを行う角度復調装置を構成すれば、当該角度変調装置においては、補正済みの第２の局部発振信号及び第２移相信号の位相が、原発振信号の現在値及び／又は過去の値のうちの選択の対象とする２個を変更することにより容易に補正される。従ってこのような位相補正装置を用いた角度変調装置によれば、目的信号の歪みが軽減されつつ、ダイレクトコンバージョンの手法による復調が行われる。
【００１３】
前記角度復調装置又は前記位相補正装置において、前記遅延手段は、例えば、所定のクロック信号が所定の遷移を示したことに応答して、当該遷移の時点における前記原発振信号の値をラッチし、ラッチした各値を表す複数の信号を各遅延信号として生成するシフトレジスタにより構成されていればよい。
【００１４】
また、この発明の第３の観点に係る角度復調方法は、
第１の局部発振信号、及び、前記第１の局部発振信号と実質的に９０度位相が異なる第１移相信号を出力する第１発振ステップと、
外部より角度変調信号を取得し、前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合ステップと、
第２の局部発振信号、及び、前記第２の局部発振信号と実質的に９０度位相が異なる第２移相信号を出力する第２発振ステップと、
前記第１及び第２ベースバンド信号を取得し、前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合ステップと、
前記中間周波信号を取得して復調することにより角度復調信号を生成する復調ステップと、により構成され、
前記第２発振ステップは、
補正前の第２の局部発振信号に相当する原発振信号を生成する原発振ステップと、
前記原発振信号を取得し、当該原発振信号を互いに異なる複数通りの遅延量遅延させたものに相当する複数の遅延信号を生成する遅延ステップと、
原発振信号及び／又は各遅延信号のうちのいずれか２個を選択して、選択された２個の信号の一方を補正済みの第２の局部発振信号として出力し、他方を第２移相信号として出力する選択ステップと、を含む、
ことを特徴とする。
【００１５】
このような角度復調方法によれば、補正済みの第２の局部発振信号及び第２移相信号の位相は、原発振信号の現在値及び／又は過去の値のうちの選択の対象とする２個を変更することにより容易に補正される。従ってこのような角度復調方法によれば、目的信号の歪みが軽減されつつ、ダイレクトコンバージョンの手法による復調が行われる。
【００１６】
また、この発明の第４の観点に係る位相補正方法は、
補正前の局部発振信号に相当する原発振信号を生成する原発振ステップと、
前記原発振信号を取得し、当該原発振信号を互いに異なる複数通りの遅延量遅延させたものに相当する複数の遅延信号を生成する遅延ステップと、
原発振信号及び／又は各遅延信号のうちのいずれか２個を選択して、選択された２個の信号の一方を補正済みの局部発振信号として出力し、他方を移相信号として出力する選択ステップと、により構成される、
ことを特徴とする。
【００１７】
このような位相補正方法を用いた、ダイレクトコンバージョンの手法による角度復調方法においては、補正済みの第２の局部発振信号及び第２移相信号の位相が、原発振信号の現在値及び／又は過去の値のうちの選択の対象とする２個を変更することにより容易に補正される。従ってこのような位相補正方法を用いた角度変調方法によれば、目的信号の歪みが軽減されつつ、ダイレクトコンバージョンの手法による復調が行われる。
【００１８】
また、この発明の第５の観点に係るプログラムは、
コンピュータを、
第１の局部発振信号、及び、前記第１の局部発振信号と実質的に９０度位相が異なる第１移相信号を出力する第１発振手段と、
外部より角度変調信号を取得し、前記第１発振手段より前記第１の局部発振信号及び前記第１移相信号を取得して、前記角度変調信号と前記第１の局部発振信号とをヘテロダイン混合した結果に相当する第１ベースバンド信号を生成し、前記角度変調信号と前記第１移相信号とをヘテロダイン混合した結果に相当する第２ベースバンド信号を生成する第１混合手段と、
第２の局部発振信号、及び、前記第２の局部発振信号と実質的に９０度位相が異なる第２移相信号を出力する第２発振手段と、
前記第１混合手段より前記第１及び第２ベースバンド信号を取得し、前記第２発振手段より前記第２の局部発振信号及び前記第２移相信号を取得して、前記第１ベースバンド信号と前記第２の局部発振信号とをヘテロダイン混合したもの及び前記第２ベースバンド信号と前記第２移相信号とをヘテロダイン混合したものの和を表す中間周波信号を生成する第２混合手段と、
前記第２混合手段より前記中間周波信号を取得して復調することにより角度復調信号を生成する復調手段と、して機能させるためのプログラムであって、
前記第２発振手段は、
補正前の第２の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの第２の局部発振信号として出力し、他方を第２移相信号として出力する選択手段と、を備える、
ことを特徴とする。
【００１９】
このようなプログラムを実行するコンピュータによれば、補正済みの第２の局部発振信号及び第２移相信号の位相は、原発振信号の現在値及び／又は過去の値のうちの選択の対象とする２個を変更することにより容易に補正される。従ってこのようなプログラムによれば、目的信号の歪みが軽減されつつ、ダイレクトコンバージョンの手法による復調が行われる。
【００２０】
また、この発明の第６の観点に係るプログラムは、
コンピュータを、
補正前の局部発振信号に相当する原発振信号を生成する原発振手段と、
前記原発振信号を取得し、当該原発振信号を互いに異なる複数通りの遅延量遅延させたものに相当する複数の遅延信号を生成する遅延手段と、
原発振信号及び／又は各遅延信号のうちのいずれか２個を選択して、選択された２個の信号の一方を補正済みの局部発振信号として出力し、他方を移相信号として出力する選択手段と、
して機能させるためのものであることを特徴とする。
【００２１】
このようなプログラムを実行するコンピュータを用いて、ダイレクトコンバージョンを行う角度復調装置を構成すれば、当該角度変調装置においては、補正済みの第２の局部発振信号及び第２移相信号の位相が、原発振信号の現在値及び／又は過去の値のうちの選択の対象とする２個を変更することにより容易に補正される。従ってこのようなプログラムを用いて角度復調を行えば、目的信号の歪みが軽減されつつ、ダイレクトコンバージョンの手法による復調が行われる。
【発明の効果】
【００２２】
この発明によれば、高周波の角度変調信号を復調して得られる目的信号の歪みを軽減するための角度復調装置、位相補正装置、角度復調方法、位相補正方法及びプログラムが実現される。
【発明を実施するための最良の形態】
【００２３】
以下、この発明の実施の形態にかかる角度復調装置及び角度復調方法を、ＦＭ（Frequency Modulation）受信機を例として説明する。
【００２４】
図１は、この発明の実施の形態にかかるＦＭ受信機の構成の一例を示す。
図示するように、このＦＭ受信機は、アンテナ１と、分波器２と、局部発振器３Ｉ及び７と、移相器３Ｑと、ミキサ４Ｉ、４Ｑ、６Ｉ及び６Ｑと、ＬＰＦ（Low Pass Filter）５Ｉ及び５Ｑと、局発位相補正部８と、加算器９と、ＢＰＦ（Band Pass Filter）１０と、ＩＦ（Intermediate Frequency：中間周波数）増幅器１１と、ＦＭ検波器１２とより構成されている。
【００２５】
分波器２は、アンテナ１が受信した信号（ＲＦ信号）をアンテナ１から供給されると、このＲＦ信号をミキサ４Ｉ及び４Ｑに供給する。
【００２６】
局部発振器３Ｉは、例えば水晶発振器等より構成されており、アンテナ１が受信する信号の搬送波周波数と実質的に同一の周波数を有する第１局部発振信号を生成し、ミキサ４Ｉ及び移相器３Ｑに供給する。
【００２７】
移相器３Ｑは、局部発振器３Ｉより第１局部発振信号を供給されると、第１局部発振信号の位相を実質的に９０度遅らせた信号である第１移相信号を生成し、ミキサ４Ｑに供給する。
【００２８】
ミキサ４Ｉ及び４Ｑは、互いに実質的に同一の構成を有している。ミキサ４Ｉは、分波器２から供給されるＲＦ信号と局部発振器３Ｉから供給される第１局部発振信号とをヘテロダイン混合した結果に相当する信号（Ｉチャンネルベースバンド信号）を生成して、ＬＰＦ５Ｉに供給する。ミキサ４Ｑは、分波器２から供給されるＲＦ信号と移相器３Ｑから供給される第１移相信号とをヘテロダイン混合した結果に相当する信号（Ｑチャンネルベースバンド信号）を生成して、ＬＰＦ５Ｑに供給する。
【００２９】
ＬＰＦ５Ｉ及び５Ｑは、互いに実質的に同一の構成を有している。ＬＰＦ５Ｉ及び５Ｑは、ミキサ４Ｉ又は４Ｑから供給されたＩチャンネルベースバンド信号又はＱチャンネルベースバンド信号をフィルタリングする。具体的には、ＬＰＦ５Ｉは、Ｉチャンネルベースバンド信号のうち、再生されるべき後述のＡＦ信号の帯域の上限を超える周波数成分を除去し、残りの周波数成分をミキサ６Ｉに供給する。ＬＰＦ５Ｑは、Ｑチャンネルベースバンド信号のうち、再生されるべきＡＦ信号の帯域の上限を超える周波数成分を除去し、残りの周波数成分をミキサ６Ｑに供給する。
【００３０】
ミキサ６Ｉ及び６Ｑは、互いに実質的に同一の構成を有している。
ミキサ６Ｉは、ＬＰＦ５Ｉから供給される信号と局発位相補正部８から供給される補正済の第２局部発振信号（後述）とをヘテロダイン混合した結果に相当する信号のうち、周波数がこれら２つの信号の周波数の和（又は差）に実質的に等しい成分を表す信号を生成して、加算器９に供給する。
ミキサ６Ｑは、ＬＰＦ５Ｑから供給される信号と局発位相補正部８から供給される後述の第２移相信号とをヘテロダイン混合した結果に相当する信号のうち、周波数がこれら２つの信号の周波数の和（又は差）に実質的に等しい成分を表す信号を生成して、加算器９に供給する。
【００３１】
局部発振器７は、例えば水晶発振器等より構成されており、所定の中間周波数に実質的に等しい周波数を有する未補正の第２局部発振信号を生成し、局発位相補正部８に供給する。中間周波数は、後述するＩＦ信号の搬送波周波数に相当するものである。
【００３２】
局発位相補正部８は、局部発振器７より未補正の第２局部発振信号を取得し、当該未補正の第２局部発振信号に基づいて、補正済みの第２局部発振信号と、第２移相信号とを生成する。そして、補正済みの第２局部発振信号をミキサ６Ｉへと供給し、第２移相信号をミキサ６Ｑへと供給する。
補正済みの第２局部発振信号及び第２移相信号の生成は、未補正の第２局部発振信号を互いに異なる複数通りの遅延量だけ遅延させたものを用意し、これらと未補正の第２局部発振信号自体とのうちいずれか２個を、補正済みの第２局部発振信号及び第２移相信号のとして選択し出力することにより行う。
【００３３】
局発位相補正部８は、具体的には例えば図２に示す構成を有している。すなわち、局発位相補正部８は、クロック発生部ＣＬＫと、ＩチャンネルシフトレジスタＳＲＩと、ＱチャンネルシフトレジスタＳＲＱと、セレクタＳＥＬＩ及びＳＥＬＱと、制御部ＣＴＲＬとより構成されている。
【００３４】
クロック発生部ＣＬＫは、例えば水晶発振器より構成されており、上述した未補正の第２局部発振信号より十分高い周波数を有するクロック信号を連続的に生成して、ＩチャンネルシフトレジスタＳＲＩ及びＱチャンネルシフトレジスタＳＲＱへと供給する。
【００３５】
ＩチャンネルシフトレジスタＳＲＩ及びＱチャンネルシフトレジスタＳＲＱは互いに実質的に同一の構成を有している。ＩチャンネルシフトレジスタＳＲＩ（又はＱチャンネルシフトレジスタＳＲＱ）は、上述のクロック信号がローレベルからハイレベルへと立ち上がった最新の過去ｎ回分（ｎは所定の自然数）のタイミングにおいて未補正の第２局部発振信号がとっていた合計ｎ個の値をラッチする。そして、これらｎ個の値を示すｎ個のデータをセレクタＳＥＬＩ（又はセレクタＳＥＬＱ）へと供給する。具体的には、ＩチャンネルシフトレジスタＳＲＩ（又はＱチャンネルシフトレジスタＳＲＱ）は、例えばこれらｎ個のデータのうちｋ番目（ｋは１以上ｎ以下の整数）に新しい値を示すデータを、セレクタＳＥＬＩ（又はセレクタＳＥＬＱ）の後述するデータ入力端Ｄｋへと供給する。
【００３６】
ＩチャンネルシフトレジスタＳＲＩは、具体的には、例えば図２に示すように、ｎ個のフリップフロップＦＩ１〜ＦＩｎより構成されていればよい。同様に、ＱチャンネルシフトレジスタＳＲＱも、ｎ個のフリップフロップＦＱ１〜ＦＱｎより構成されていればよい。
【００３７】
フリップフロップＦＩ１〜ＦＩｎ及びＦＱ１〜ＦＱｎは互いに実質的に同一の構成を有しており、それぞれ、クロック入力端ＣＫと、データ入力端Ｄと、データ出力端Ｑとを備えている。
各々のフリップフロップは、自己のクロック入力端ＣＫに供給されている信号がローレベルからハイレベルへと立ち上がった時点に自己のデータ入力端Ｄに供給されている信号の論理値をラッチし、ラッチしている論理値を示す信号を、クロック入力端ＣＫに供給されている信号が再び立ち上がるまで、自己のデータ出力端Ｑから出力し続ける。
【００３８】
フリップフロップＦＩ１〜ＦＩｎ及びＦＱ１〜ＦＱｎの各クロック入力端ＣＫにはクロック発生部ＣＬＫが接続されており、クロック信号が供給される。
フリップフロップＦＩ１及びＦＱ１の各データ入力端には局部発振器７が接続されており、未補正の第２局部発振信号が供給される。
フリップフロップＦＩｋのデータ出力端Ｑは、セレクタＳＥＬＩの後述するデータ入力端Ｄｋに接続されている。また、フリップフロップＦＱｋのデータ出力端Ｑは、セレクタＳＥＬＱの後述するデータ入力端Ｄｋに接続されている。
また、フリップフロップＦＩｋ（ただしｋ≠ｎ）のデータ出力端ＱはフリップフロップＦＩ（ｋ＋１）のデータ入力端Ｄにも接続されており、フリップフロップＦＱｋ（ただしｋ≠ｎ）のデータ出力端ＱはフリップフロップＦＱ（ｋ＋１）のデータ入力端Ｄにも接続されている。
【００３９】
セレクタＳＥＬＩ及びＳＥＬＱは互いに実質的に同一の構成を有しており、それぞれ、０番目からｎ番目まで計（ｎ＋１）個のデータ入力端Ｄ０〜Ｄｎと、１個のデータ出力端Ｑと、１個の制御入力端Ｃとを備える。
セレクタＳＥＬＩ又はＳＥＬＱは、自己の各データ入力端Ｄ０〜Ｄｎに供給されたデータのうち、自己の制御入力端Ｃに供給された制御信号により指定されるいずれかのデータを、自己のデータ出力端Ｑより出力する。
【００４０】
セレクタＳＥＬＩ（又はセレクタＳＥＬＱ）のデータ入力端Ｄｋには、上述の通りＩチャンネルシフトレジスタＳＲＩ（又はＱチャンネルシフトレジスタＳＲＱ）が記憶するｎ個のデータのうちｋ番目新しい値を示すデータが供給される。また、セレクタＳＥＬＩ及びＳＥＬＱの各データ入力端Ｄ０には局部発振器７が接続されており、それぞれに未補正の第２局部発振信号が供給される。
そして、セレクタＳＥＬＩのデータ出力端Ｑはミキサ６Ｉに接続されており、制御信号が指定する信号を、補正済みの第２局部発振信号としてミキサ６Ｉへと供給する。
また、セレクタＳＥＬＱのデータ出力端Ｑはミキサ６Ｑに接続されており、制御信号が指定する信号を、第２の移相信号としてミキサ６Ｉへと供給する。
【００４１】
制御部ＣＴＲＬは、例えばＣＰＵ（Central Processing Unit）等のプロセッサ、専用の論理回路、あるいはスイッチ等より構成されており、上述の制御信号を、セレクタＳＥＬＩ及びＳＥＬＱのそれぞれについて生成する。そして、セレクタＳＥＬＩ用に生成した制御信号をセレクタＳＥＬＩの制御入力端Ｃへ、また、セレクタＳＥＬＱ用に生成した制御信号をセレクタＳＥＬＱの制御入力端Ｃへ、それぞれ供給する。
【００４２】
制御信号が示す内容（すなわち、セレクタＳＥＬＩ又はＳＥＬＱに、その各データ入力端に供給されたデータのうちいずれを出力させるかについての指定内容）を制御部ＣＴＲＬが決定する手法は任意である。
従って制御部ＣＴＲＬは、例えば、制御信号が示す内容を操作者の操作に従って決定してもよいし、あるいは、任意のインターフェース回路を介して外部より供給されるデータに従って決定してもよい。また、制御部ＣＴＲＬを構成するプロセッサが、自ら実行する他の処理の結果得られた値に従って、制御信号が示す内容を決定してもよい。
【００４３】
なお、制御信号が示す内容として最適な内容は、例えば、ＲＦ信号として所定のシングルトーンを周波数変調した信号をアンテナ１に受信させ、結果としてＦＭ検波器１２より得られる後述のＡＦ信号の信号帯雑音比（Ｓ／Ｎ比）を公知の手法により測定し、当該Ｓ／Ｎ比が最大となるような内容を特定することにより行えばよい。
そして、特定された内容が設定されるよう、操作者が制御部ＣＴＲＬを操作するようにしてもよいし、あるいは、上述の測定ないし測定結果を表すデータの生成を自動的に行う外部の装置が、上述のＳ／Ｎ比が最大となる内容を特定し、特定した内容を示すデータを制御部ＣＴＲＬに供給するようにしてもよい。あるいは、制御部ＣＴＲＬを構成するプロセッサが当該装置の機能の一部を実現するための処理を行い、この処理の結果得られた値に従って、制御信号が示す内容を決定してもよい。
【００４４】
加算器９は、ミキサ６Ｉ及び６Ｑから供給される信号の和を表す信号を生成して、ＢＰＦ１０に供給する。
ＢＰＦ１０は、加算器９から供給された信号をフィルタリングする。具体的には、ＢＰＦ１０は、加算器９から供給された信号のうち、上述の中間周波数近傍の帯域の成分をＩＦ増幅器１１に供給し、その他の成分を実質的に遮断する。
ＩＦ増幅器１１は、ＢＰＦ１０から供給された成分（ＩＦ信号）を増幅して、ＦＭ検波器１２に供給する。
【００４５】
ＦＭ検波器１２は、比検波器、クワドラチャ復調回路その他任意のＦＭ検波回路や、ＡＦ（Audio Frequency）増幅器及びスピーカなどから構成されており、ＩＦ増幅器１１から供給された信号の周波数変移を振幅へと変換することによりＩＦ信号のＦＭ復調を行い、復調により得られたＡＦ信号を、このＦＭ受信機の出力信号として出力し、再生する。
【００４６】
（動作）
次に、このＦＭ受信機の動作を説明する。
このＦＭ受信機が受信する対象のＦＭ変調信号がアンテナ１にＲＦ信号を誘起すると、分波器２は、このＲＦ信号をミキサ４Ｉ及び４Ｑに供給する。
一方、ミキサ４Ｉには局部発振器３Ｉが生成する第１局部発振信号が供給され、ミキサ４Ｑには第１局部発振信号の位相が実質的に９０度遅れたものに相当する信号である第１移相信号が移相器３Ｑより供給される。
【００４７】
ミキサ４Ｉは、Ｉチャンネルベースバンド信号を生成する。ミキサ４Ｉが生成したＩチャンネルベースバンド信号はＬＰＦ５Ｉによりフィルタリングされた後、ミキサ６Ｉに供給される。ミキサ４Ｑは、Ｑチャンネルベースバンド信号を生成する。ミキサ４Ｑが生成したＱチャンネルベースバンド信号はＬＰＦ５Ｑによりフィルタリングされた後、ミキサ６Ｑに供給される。Ｉチャンネルベースバンド信号及びＱチャンネルベースバンド信号に含まれる、ＦＭ変調信号の搬送波成分の周波数は実質上０となる。
【００４８】
局発位相補正部８は、局部発振器７が生成する未補正の第２局部発振信号を取得し、その過去の値を複数個記憶して、記憶したいずれかの値を示す信号を補正済みの第２局部発振信号としてミキサ６Ｉに供給し、この値とは別のいずれかの値を示す信号を第２移相信号としてミキサ６Ｑに供給する。
【００４９】
ミキサ６Ｉは、ＬＰＦ５Ｉが供給する信号と補正済みの第２局部発振信号とをヘテロダイン混合して得られる信号のうち、周波数がこれら２つの信号の周波数の和（又は差）に実質的に等しい成分を表す信号を生成し、加算器９に供給する。
ミキサ６Ｑは、ＬＰＦ５Ｑが供給する信号と第２移相信号とをヘテロダイン混合して得られる信号のうち、周波数がこれら２つの信号の周波数の和（又は差）に実質的に等しい成分を表す信号を生成し、加算器９に供給する。
【００５０】
加算器９は、ミキサ６Ｉ及び６Ｑから供給される信号の和を表す信号を生成する。この信号はＢＰＦ１０によりフィルタリングされてＩＦ信号となり、ＩＦ信号はＩＦ増幅器１１により増幅される。ＩＦ信号に含まれる、ＦＭ変調信号の搬送波成分の周波数は、第２局部発振信号の周波数に実質的に等しい値となる。
ＩＦ増幅器１１により増幅されたＩＦ信号はＦＭ検波器１２によりＦＭ復調され、復調により得られたＡＦ信号が、このＦＭ受信機の出力信号として出力され、再生される。
【００５１】
補正済みの第２局部発振信号と第２移相信号との位相差が局発位相補正部８により適切に設定されていれば、以上説明した動作の結果、このＦＭ受信機に受信されたＦＭ変調信号が復調され、ＡＦ信号が表す音声が適切に再生される。
具体的には、例えば第１局部発振信号に対する第１移相信号の位相差が（９０＋α）［度］となっていて、＋α［度］の移相量のずれが生じている場合は、補正済みの第２局部発振信号に対する第２移相信号の位相差が（９０−α）［度］となるように設定されていれば、移相量のずれに起因するＡＦ信号の歪みはほぼ除去されるといえる。
【００５２】
そして、上述した局発位相補正部８は、未補正の第２局部発振信号の過去の複数個の値及び未補正の第２局部発振信号の現在値のうちからいずれか２個を選択して、選択された各値を示す２個の信号を補正済みの第２局部発振信号及び第２移相信号として供給するものであるから、補正済みの第２局部発振信号と第２移相信号との位相差の調整は容易である。
従って、例えば移相器３Ｑが劣化し、第１局部発振信号の位相を正確に９０度移相しなくなった場合であっても、この劣化を補償してＦＭ変調信号の正確な復調が行えるようにするため、補正済みの第２局部発振信号と第２移相信号との位相差を設定し直すことも容易である。
【００５３】
なお、このＦＭ受信機の構成は、上述のものに限られない。
例えば、分波器２は、Ａ／Ｄ（Analog-to-Digital）変換器と、ＤＳＰ（Digital Signal Processor）やＣＰＵ（Central Processing Unit）とから構成されていてもよい。また、ＦＭ検波器１２は、ＤＳＰやＣＰＵとＤ／Ａ（Digital-to-Analog）変換器とより構成されていてもよい。そして、このＦＭ受信機の他の構成要素の機能の一部又は全部が、ＤＳＰやＣＰＵにより行われていてもよい。
【００５４】
また、このＦＭ受信機は、ＦＭ変調信号をアンテナ１から取得する必要はなく、例えば、ＦＭ変調信号を有線回線より取得してもよい。
また、このＦＭ受信機は、ＰＭ（Phase Modulation）変調信号を復調してもよい。この場合、ＦＭ検波器１２は、例えば、ＩＦ信号をＦＭ復調して得られたＡＦ信号を積分するための積分回路等を備えるものとすればよい。
また、セレクタＳＥＬＩ及びＳＥＬＱは、未補正の第２局部発振信号の現在の値を選択の対象として扱わなくてもよい。
【００５５】
以上、この発明にかかる角度復調装置及び角度復調方法を説明したが、この発明の角度復調装置は、専用のシステムによらず、通常のコンピュータシステムを用いて実現可能である。例えば、Ａ／Ｄ変換器、Ｄ／Ａ変換器を備えるパーソナルコンピュータに、上述の動作を実行するためのプログラムを格納した媒体（フレキシブルディスク、ＣＤ−ＲＯＭ等）から該プログラムをインストールすることにより、上記処理を実行するＦＭ受信機を構成することができる。
【００５６】
また、例えば、通信回線の掲示板（ＢＢＳ）にこのプログラムをアップロードし、これを通信回線を介して配信してもよく、また、このプログラムを表す信号により搬送波を変調し、得られた変調波を伝送し、この変調波を受信した装置が変調波を復調してこれらのプログラムを復元するようにしてもよい。
そして、このプログラムを起動し、ＯＳの制御下に、他のアプリケーションプログラムと同様に実行することにより、上述の処理を実行することができる。
【００５７】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【図面の簡単な説明】
【００５８】
【図１】本発明の実施形態に係るＦＭ受信機の構成を示す図である。
【図２】局発位相補正部の構成を示す図である。
【図３】従来のＦＭ受信機の構成を示す図である。
【符号の説明】
【００５９】
１                              アンテナ
２                              分波器
３Ｉ、７                        局部発振器
３Ｑ                            移相器
４Ｉ、４Ｑ、６Ｉ、６Ｑ          ミキサ
５Ｉ、５Ｑ                      ＬＰＦ
８                              局発位相補正部
ＣＬＫ                          クロック発生部
ＳＲＩ                          Ｉチャンネルシフトレジスタ
ＳＲＱ                          Ｑチャンネルシフトレジスタ
ＦＩ１〜ＦＩｎ、ＦＱ１〜ＦＱｎ  フリップフロップ
ＳＥＬＩ、ＳＥＬＱ              セレクタ
ＣＴＲＬ                        制御部
９                              加算器
１０                            ＢＰＦ
１１                            ＩＦ増幅器
１２                            ＦＭ検波器
【図１】
2007235346.tif 000003
【図２】
2007235346.tif 000004
【図３】
2007235346.tif 000005